Podtech/llm-jp-corpus-v4-ja_patent huggingface dataset:
【手続補正書】
【提出日】令和2年12月10日(2020.12.10)
【手続補正１】
【補正対象書類名】特許請求の範囲
【補正対象項目名】全文
【補正方法】変更
【補正の内容】
【特許請求の範囲】
【請求項１】
歯列矯正ブラケットであって、
アーチ部材に連結するように構成されたブラケット本体と、
前記ブラケット本体に隣接して配置された第１のブラケットフーチングであって、ブラケットベースから形成された受け部と嵌合するように構成された少なくとも１つの主表面を有する第１のブラケットフーチングと、
を備え、前記第１のブラケットフーチングは、前記ブラケット本体の主表面によって形成される平面を越えて延びている、歯列矯正ブラケットと、
内部に形成された受け部を有するブラケットベースであって、前記受け部は、少なくとも前記第１のブラケットフーチングと嵌合するように構成されており、前記ブラケットベースは、１つ以上の歯を受け入れるように内部に成形された１つ以上のキャビティを有するポリマーシェル部分である、ブラケットベースと、
を備える、装具。
【請求項２】
前記受け部は、前記ブラケットベースの主表面に対して隆起した第１の部分を有し、前記第１の部分は前記ブラケット本体に接する、請求項１に記載の装具。
【請求項３】
前記受け部は、前記隆起した部分の前記外側面に対して押し下げられている第２の部分を有し、前記第２の部分は、前記ブラケット本体のフランジと嵌合するように構成されている、請求項２に記載の装具。
【請求項４】
前記第１のブラケットフーチングは、前記ベースに少なくとも部分的に埋め込むのに十分な長さを有する、請求項１に記載の装具。
【請求項５】
前記第１のブラケットフーチングの長さは少なくとも０．０５ｍｍである、請求項１〜４のいずれか一項に記載の装具。
【請求項６】
前記ブラケット本体は、アーチ部材のための接触領域を更に含み、前記ブラケット本体は、内側面と外側面とを含む、請求項１〜５のいずれか一項に記載の装具。
【請求項７】
前記接触領域は、前記外側面の少なくとも一部分を含む、請求項６に記載の装具。
【請求項８】
前記接触領域は、前記内側面の少なくとも一部分を含む、請求項６に記載の装具。
【請求項９】
第２のブラケットフーチングを更に備える、請求項１に記載の装具。
【請求項１０】
１つ以上の歯を受け入れるように内部に成形された１つ以上のキャビティをそれぞれが有する複数のポリマーシェル部分であって、前記複数のシェル部分のそれぞれは、他の複数のシェル部分から離れているように形成されている、複数のポリマーシェル部分と、
請求項１〜９のいずれか一項に記載の歯列矯正ブラケットと、
を備える、取り外し可能な歯科装具。
【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
蛍光タンパク質をコードする染色体に組み込まれた発現カセットを含むトランスジェニックレインボーシャークであって、ここで、当該レインボーシャークは、
オレンジ色レインボーシャーク１形質転換現象、ここで、前記オレンジ色レインボーシャーク１形質転換現象を含む精子が、「オレンジ色レインボーシャーク１」としてＥＣＡＣＣに寄託される；
紫色レインボーシャーク１形質転換現象、ここで、前記紫色レインボーシャーク１形質転換現象を含む精子が、「紫色レインボーシャーク１」としてＥＣＡＣＣに寄託される；
青色レインボーシャーク１形質転換現象、ここで、前記青色レインボーシャーク１形質転換現象を含む精子が、「青色レインボーシャーク１」としてＥＣＡＣＣに寄託される；及び
緑色レインボーシャーク１形質転換現象、ここで、前記緑色レインボーシャーク１形質転換現象を含む精子が、「緑色レインボーシャーク１」としてＥＣＡＣＣに寄託される、
からなる群から選択されるレインボーシャーク形質転換現象を有するトランスジェニックレインボーシャーク。
【請求項２】
前記トランスジェニックレインボーシャークが、前記「オレンジ色レインボーシャーク１形質転換現象」を含み、前記トランスジェニックレインボーシャークが、オレンジ色の蛍光を含み、前記オレンジ色が、非トランスジェニック魚と視覚的に区別できる、請求項１に記載のトランスジェニックレインボーシャーク。
【請求項３】
前記トランスジェニックレインボーシャークが、前記「紫色レインボーシャーク１形質転換現象」を含み、前記トランスジェニックレインボーシャークが、紫色の蛍光を含み、前記紫色が、非トランスジェニック魚と視覚的に区別できる、請求項１に記載のトランスジェニックレインボーシャーク。
【請求項４】
前記トランスジェニックレインボーシャークが、前記「青色レインボーシャーク１形質転換現象」を含み、前記トランスジェニックレインボーシャークが、青色の蛍光を含み、前記青色が、非トランスジェニック魚と視覚的に区別できる、請求項１に記載のトランスジェニックレインボーシャーク。
【請求項５】
前記トランスジェニックレインボーシャークが、前記「緑色レインボーシャーク１形質転換現象」を含み、前記トランスジェニックレインボーシャークが、緑色の蛍光を含み、前記緑色が、非トランスジェニック魚と視覚的に区別できる、請求項１に記載のトランスジェニックレインボーシャーク。
【請求項６】
前記トランスジェニックレインボーシャークが、繁殖力のあるトランスジェニックレインボーシャークである、請求項１〜５の何れか１項に記載のトランスジェニックレインボーシャーク。
【請求項７】
前記トランスジェニックレインボーシャークが、前記組み込まれた発現カセットについてホモ接合性である、請求項１〜５の何れか１項に記載のトランスジェニックレインボーシャーク。
【請求項８】
前記トランスジェニックレインボーシャークが、前記組み込まれた発現カセットについてヘテロ接合性である、請求項１〜５の何れか１項に記載のトランスジェニックレインボーシャーク。
【請求項９】
トランスジェニックレインボーシャークを観賞魚市場に提供する方法であって、請求項１〜５の何れか１項に記載のトランスジェニックレインボーシャークを複数入手すること、及び前記トランスジェニックレインボーシャークを観賞魚市場に流通させることを含む、方法。
【請求項１０】
前記トランスジェニックレインボーシャークが、飼育者によって商業的流通業者によって流通される、請求項９に記載の方法。
【請求項１１】
前記魚が、飼育者又は商業的流通業者によって小売業者に流通される、請求項９に記載の方法。
【請求項１２】
前記小売業者が、観賞魚部門を有する多製品小売業者である、請求項９に記載の方法。
【請求項１３】
トランスジェニックレインボーシャークを作製する方法であって、
（ａ）請求項１〜５の何れか１項に記載のトランスジェニックレインボーシャークを得る工程、及び
（ｂ）（ａ）で得られたレインボーシャークと第２のレインボーシャークを交配し、（ａ）で得られたトランスジェニックレインボーシャークと同じレインボーシャーク形質転換現象を含むトランスジェニックレインボーシャークを提供する工程、を含む方法。
【請求項１４】
前記第２のレインボーシャークが、非トランスジェニックレインボーシャークである、請求項１３に記載の方法。
【請求項１５】
請求項１〜５の何れか１項に記載のトランスジェニックレインボーシャークの子孫であって、当該子孫が、前記トランスジェニックレインボーシャークと同じレインボーシャーク形質転換現象を含む、子孫。
【手続補正書】
【提出日】令和3年3月23日(2021.3.23)
【手続補正１】
【補正対象書類名】特許請求の範囲
【補正対象項目名】全文
【補正方法】変更
【補正の内容】
【特許請求の範囲】
【請求項１】
（i）SEQ ID NO：12の重鎖可変断片（VH）およびSEQ ID NO：13の軽鎖可変断片（VL）を含む単鎖可変断片（scFv）を含む、CD22に特異的な抗原結合性ドメインと、
CD8アルファ由来のヒンジドメインと
を含む、少なくとも1つの細胞外ドメイン、
（ii）CD8アルファ由来の膜貫通ドメイン、および
（iii）細胞内シグナリングドメイン
を含む、CD22に特異的なキメラ抗原受容体(CAR)。
【請求項２】
リンカーで連結されたSEQ ID NO：12の重鎖可変断片（VH）およびSEQ ID NO：13の軽鎖可変断片（VL）を含む単鎖可変断片（scFv）とヒトCD8アルファ由来のヒンジとを含む、少なくとも1つの細胞外ドメイン、
ヒトCD8アルファ由来の膜貫通ドメイン、ならびに
ヒトCD3ゼータシグナリングドメインおよびヒト4-1BB由来の共刺激シグナル分子を含む、細胞内シグナリングドメイン
を含む、請求項1記載のCD22 CAR。
【請求項３】
SEQ ID NO：15と少なくとも90％の同一性を有するポリペプチド配列を有する、請求項1または2記載のCD22 CAR。
【請求項４】
安全スイッチをさらに含む、請求項3記載のCD22 CAR。
【請求項５】
安全スイッチが、ペプチド2AによってCD22 CARへ一時的に連結されたRQR8を含む、請求項4記載のCD22 CAR。
【請求項６】
安全スイッチが、CD22 CARへ連結された少なくとも2つのリツキシマブmAb特異的エピトープを含み、好ましくはCPYSNPSLCのアミノ酸配列を有する3つのmAb特異的エピトープおよびELPTQGTFSNVSTNVSPAKPTTTAのアミノ酸配列を有する1つのmAb特異的エピトープを含む、請求項4記載のCD22 CAR。
【請求項７】
抗CD22 CARが単鎖CARである、請求項1〜6のいずれか一項記載のCD22 CAR。
【請求項８】
請求項1〜7のいずれか一項記載のキメラ抗原受容体(CAR)を細胞表面に発現する操作ヒトT細胞であって、TCRサブユニット、好ましくはTCRαをコードする遺伝子が不活性化されていることをさらに特徴とする、操作ヒトT細胞（UCART 22）。
【請求項９】
前記抗CD22 CARをコードするポリヌクレオチドが、ゲノム中、好ましくはTRAC遺伝子中へ挿入されている、請求項8記載のUCART22。
【請求項１０】
dCK遺伝子、B2M遺伝子、およびCD52遺伝子、好ましくはCD52遺伝子より選択される別の不活性化遺伝子を含む、請求項8または9記載のUCART22。
【請求項１１】
少なくとも1つの追加の遺伝子が不活性化されており、かつ該追加の遺伝子が、アリール炭化水素受容体(AHR）、トランスホーミング増殖因子ベータ受容体（TGFベータ受容体）、インターロイキン10受容体(IL-10 R）、プログラム細胞死タンパク質1、その組み合わせをコードする遺伝子より選択される、請求項8〜10のいずれか一項記載のUCART22。
【請求項１２】
前記CD22CARが、CD19に特異的な抗原結合性ドメインをさらに含むか、または、前記UCART 22が、CD19CAR、好ましくはSEQ ID NO：25またはSEQ ID NO：26と少なくとも80％の同一性を有するCD19 CARをさらに含む、請求項8〜11のいずれか一項記載のUCART22。
【請求項１３】
請求項8〜12のいずれか一項記載のUCART22を含む、UCART細胞の集団。
【請求項１４】
その必要がある患者における、連続投与（少なくとも1回）、または同時投与、または連続投与（少なくとも1回）と続く同時投与のための、請求項8〜12のいずれか一項記載のUCART 22およびUCART19を含むキット。
【請求項１５】
UCARTの前に投与されるリンパ球枯渇処置をさらに含む、請求項14記載のキット。
【請求項１６】
請求項8〜12のいずれか一項記載のUCART22または請求項13記載の該UCART 22を含む細胞の集団と、薬学的に許容される賦形剤とを含む、薬学的組成物。
【請求項１７】
CD22+媒介がんまたはCD22+媒介炎症疾患に罹患している患者の予防または治療における使用のための；CD19+媒介がんまたはCD19+媒介炎症疾患に罹患している患者の予防または治療における使用のための；またはCD19+CD22+媒介がんまたはCD19+CD22+媒介炎症疾患に罹患している患者の予防または治療における使用のための、医薬の製造における、請求項16に定義した薬学的組成物または請求項14もしくは15に定義したキットの使用。
【請求項１８】
前記がんが、リンパ腫、ホジキンリンパ腫、非ホジキンリンパ腫、白血病、多発性骨髄腫、B-慢性リンパ性白血病、ヘアリー細胞白血病、急性リンパ性白血病（ALL）、およびバーキットリンパ腫、急性リンパ性がん、急性骨髄性白血病より選択される血液がんである、請求項17記載の使用。
【請求項１９】
好ましくは小児適応症としての、再発または難治性B ALLの治療のための医薬の製造における、請求項16に定義した薬学的組成物または請求項14もしくは15に定義したキットの使用。
【請求項２０】
請求項1〜7のいずれか一項記載のCD22 CARをコードするポリヌクレオチドまたはベクターを、T細胞に導入する工程を含む、免疫療法用のT細胞を調製するエクスビボ方法。
【手続補正書】
【提出日】令和3年5月6日(2021.5.6)
【手続補正１】
【補正対象書類名】特許請求の範囲
【補正対象項目名】全文
【補正方法】変更
【補正の内容】
【特許請求の範囲】
【請求項１】
磁気温熱療法治療に使用するための磁性ナノ粒子であって、前記磁性ナノ粒子は個体の身体部分に投与され、前記身体部分は高周波および中周波および／または低周波で振動する磁場に曝され、前記高周波は最大で１ＭＨｚであり、前記中周波は前記高周波よりも低く、前記低周波は前記高周波よりも低く、かつ前記中周波が存在する場合には前記中周波よりも低く、
前記高周波および中周波および／または低周波で振動する磁場は、
−前記磁場の強さもしくは振幅、または最大もしくは平均磁場が、第１の時間ｔ７の間に第１の値Ａ７で一定であるか、または時間ｔ７の間に値Ａ７に増加する少なくとも１つのシーケンス、
および
−前記磁場の強さもしくは振幅、または最大もしくは平均磁場が、別の時間ｔ８の間にＡ７よりも低い別の値Ａ８で一定であるか、または時間ｔ８の間に値Ａ８に減少する少なくとも別のシーケンスを含み、
これらの少なくとも２つの異なるシーケンスが２回以上繰り返される、使用するための磁性ナノ粒子。
【請求項２】
−前記高周波ｆｈと前記低周波ｆｌとの比ｆｈ／ｆｌが１．０１よりも大きい、または
−前記中周波ｆｍと前記低周波ｆｌとの比ｆｍ／ｆｌが１．０１よりも大きい、
請求項１に記載の使用するための磁性ナノ粒子。
【請求項３】
最大磁場Ｈｍａｘと平均磁場Ｈａｖとの比が１．００００１よりも大きく、
−Ｈｍａｘは、Ｈｍａｘ，ｉと表される、各高周波振動の極大磁場振幅のさまざまな値の間で推定される最大磁場振幅であり、
−Ｈａｖは、Ｈｍａｘ，ｉのさまざまな値の平均値として定義される、
請求項１または２に記載の使用するための磁性ナノ粒子。
【請求項４】
前記高周波および低周波で振動する前記磁場が、
−前記磁場強度または振幅、あるいは前記最大または平均磁場が、時間ｔ９の間に値Ａ９で最初に一定であるか、時間ｔ９の間に値Ａ９に増加する、少なくとも１つのシーケンス、
および、
−前記磁場強度または振幅、あるいは前記最大または平均磁場が、時間ｔ１０の間に別の値Ａ１０で一定であるか、時間ｔ１０の間にＡ１０まで減少し、Ａ１０はＡ９よりも低い、少なくとも別のシーケンス、を含み、
これらの少なくとも２つの異なるシーケンスが２回以上繰り返される、請求項１から３のいずれか一項に記載の使用するための磁性ナノ粒子。
【請求項５】
Ａ７またはＡ９が、
−０．０１ｍＴ、または１ｍＴ、または１０ｍＴ、または１００ｍＴ、または１Ｔよりも大きい、あるいは
−Ａ８の少なくとも１．１、２．５、１０、１００、１０３、または１０５０倍大きい、請求項１から４のいずれか一項に記載の使用するための磁性ナノ粒子。
【請求項６】
Ａ８またはＡ１０が、１０３Ｔ、または１Ｔ、または１００ｍＴ、または１０ｍＴよりも低い、請求項１から４のいずれか一項に記載の使用するための磁性ナノ粒子。
【請求項７】
前記時間ｔ７、ｔ８、ｔ９および／またはｔ１０が、１０−９、１０−６、１０−３、１、１０または１０３秒よりも長い、請求項１から６のいずれか一項に記載の使用するための磁性ナノ粒子。
【請求項８】
前記磁場のサイクルが少なくとも２つのシーケンスの組み合わせに対応し、前記サイクルが、２、３、４、５、１０、１０２、１０３、１０４、１０５、１０１０、１０２５、１０５０、または１０１００回を超えて繰り返される、請求項１から７のいずれか一項に記載の使用するための磁性ナノ粒子。
【請求項９】
前記磁性ナノ粒子が１Ｗ／ｇよりも高いＳＡＲを有する、請求項１から８のいずれか一項に記載の使用するための磁性ナノ粒子。
【請求項１０】
前記高周波が１から１０００ｋＨｚの間である、請求項１から９のいずれか一項に記載の使用するための磁性ナノ粒子。
【請求項１１】
前記高周波が前記磁性ナノ粒子を加熱する、請求項１から１０のいずれか一項に記載の使用するための磁性ナノ粒子。
【請求項１２】
前記中周波が前記高周波よりも低く、１０−５から５．１０５Ｈｚの間にある、請求項１から１１のいずれか一項に記載の使用するための磁性ナノ粒子。
【請求項１３】
前記中周波が前記高周波を変調する、請求項１から１２のいずれか一項に記載の使用するための磁性ナノ粒子。
【請求項１４】
前記低周波が、それが存在する場合、前記高周波および前記中周波よりも低く、１０−９から５．１０５Ｈｚの間にある、請求項１から１３のいずれか一項に記載の使用するための磁性ナノ粒子。
【請求項１５】
前記低周波が、加熱ステップおよび冷却ステップを備える少なくとも１つのサイクルを含む、請求項１４に記載の使用するための磁性ナノ粒子。
【請求項１６】
前記治療が、疾患の治療であり、前記疾患が、細菌、優先的に病原性の、ウイルスの、または細胞、優先的に腫瘍の増殖による疾患などの感染症である、請求項１から１５のいずれか一項に記載の使用するための磁性ナノ粒子。
【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
マイクロ波電磁（ＥＭ）エネルギーを生体組織内に送達するための電気外科器具であって、
マイクロ波ＥＭエネルギーを第１の周波数及び第２の周波数で伝えるための同軸ケーブルであって、前記第２の周波数が前記第１の周波数より高い、前記同軸ケーブルと、
前記同軸ケーブルからのマイクロ波ＥＭエネルギーを受け取るように前記同軸ケーブルの遠位端に配置される放射先端部であって、前記第１の周波数で第１の実効比透磁率を有し、前記第２の周波数で第２の実効比透磁率を有する、前記放射先端部とを含み、
前記第１の実効比透磁率及び前記第２の実効比透磁率が、前記放射先端部の電気的長さが共振ならびに前記第１の周波数及び前記第２の周波数をそれぞれ持続させるように選択される、前記電気外科器具。
【請求項２】
前記放射先端部が、前記同軸ケーブルの第１の誘電材料とは異なる第２の誘電材料を含む、請求項１に記載の電気外科器具。
【請求項３】
前記第２の誘電材料がフェリ磁性である、請求項２に記載の電気外科器具。
【請求項４】
前記放射先端部が、前記第２の誘電材料にバイアス磁界を印加するための磁化要素を備える、請求項２または３に記載の電気外科器具。
【請求項５】
前記磁化要素が、前記第２の誘電材料の周りに配置された電磁コイルである、請求項４に記載の電気外科器具。
【請求項６】
前記磁化要素が、前記バイアス磁場を調整するように制御可能である、請求項４または５に記載の電気外科器具。
【請求項７】
マイクロ波電磁（ＥＭ）エネルギーを生体組織内に送達するための電気外科器具であって、
マイクロ波ＥＭエネルギーを第１の周波数及び第２の周波数で伝えるための同軸ケーブルであって、前記第２の周波数が前記第１の周波数より高い、前記同軸ケーブルと、
前記同軸ケーブルからのマイクロ波ＥＭエネルギーを受け取るように前記同軸ケーブルの遠位端に配置される放射先端部であって、前記第１の周波数で第１の実効比誘電率を有し、前記第２の周波数で第２の実効比誘電率を有する、前記放射先端部とを含み、
前記第１の実効比誘電率及び前記第２の実効比誘電率が、前記放射先端部の電気的長さが共振ならびに前記第１の周波数及び前記第２の周波数をそれぞれ持続させるように選択される、前記電気外科器具。
【請求項８】
マイクロ波電磁（ＥＭ）エネルギーを生体組織内に送達するための電気外科手術装置であって、
請求項１から請求項７のいずれか１項に記載の電気外科器具と、
前記第１の周波数及び前記第２の周波数でマイクロ波ＥＭエネルギーを発生するように構成された発生装置とを含み、
前記同軸ケーブルが、マイクロ波ＥＭエネルギーを受け取るように前記発生装置に接続される近位端を有する、前記電気外科器具。
【請求項９】
治療部位への非侵襲的な挿入のための可撓性器具コードを有する外科用スコープ機器を含み、
前記器具コードが器具チャネルを含み、前記電気外科器具が前記器具チャネル内に挿入可能であるように寸法決めされる、請求項８に記載の電気外科器具。
【手続補正書】
【提出日】令和3年3月10日(2021.3.10)
【手続補正１】
【補正対象書類名】特許請求の範囲
【補正対象項目名】全文
【補正方法】変更
【補正の内容】
【特許請求の範囲】
【請求項１】
同じ組織内の複数のクローン細胞集団について集団の大きさを測定するための方法であって、
（ａ）生体組織を、（ｉ）固有の識別子を提供するバーコード化された核酸、ならびに（ｉｉ）新生細胞形成及び／または腫瘍形成を誘導するヌクレオチド配列を含んでおり、遺伝性であり、互いに区別可能である複数の細胞マーカーと接触させて、接触させた組織内の遺伝的に特徴がある細胞の複数の区別可能な系譜を生成することと、
（ｂ）前記遺伝的に特徴がある細胞の少なくとも一部が少なくとも１回の分裂を受けるために十分な時間が経過した後、接触させた組織に存在する前記複数の細胞マーカーのうちの少なくとも２つの量を検出及び測定し、それにより、測定した値のセットを生成することと、
（ｃ）前記測定した値のセットを入力として使用して、前記遺伝的に特徴がある細胞の区別可能な系譜のうちの少なくとも２つについての、接触させた組織に存在する遺伝的に特徴がある細胞の数を計算することと
を含む、方法。
【請求項２】
ステップ（ｂ）の検出及び測定は、前記組織から回収された生体試料で行われる、請求項１に記載の方法。
【請求項３】
前記複数の細胞マーカーの各細胞マーカーは、遺伝的に特徴がある細胞の系譜の既知の細胞遺伝子型に対応する、請求項１または２に記載の方法。
【請求項４】
前記接触させることは、前記組織の細胞を遺伝的に改変して、遺伝的に特徴がある細胞を生成することを含む、請求項１〜３のいずれか一項に記載の方法。
【請求項５】
前記同じ組織の複数の腫瘍について腫瘍の大きさを測定する方法である、請求項１〜４のいずれか一項に記載の方法。
【請求項６】
検出及び測定は、接触の結果として、接触させた組織内で腫瘍が形成されるために十分な時間が経過した後に行われる、請求項１〜５のいずれか一項に記載の方法。
【請求項７】
前記複数の細胞マーカーは、バーコード化された核酸を含む、請求項１〜６のいずれか一項に記載の方法。
【請求項８】
検出及び測定は、各検出されたバーコードについての、ハイスループットシーケンシング、及び配列リードの数の定量化を含む、請求項７に記載の方法。
【請求項９】
前記複数の細胞マーカーは、新生細胞形成を誘導するバーコード化された核酸を含む、請求項１〜８のいずれか一項に記載の方法。
【請求項１０】
前記バーコード化された核酸は、新生細胞形成を誘導し、相同組換え修復（ＨＤＲ）ＤＮＡドナーテンプレート、１つ以上のがん遺伝子をコードする核酸、１つ以上の野生型タンパク質をコードする核酸、１つ以上の変異タンパク質をコードする核酸、１つ以上のＣＲＩＳＰＲ／ＣａｓガイドＲＮＡをコードする核酸、１つ以上の短ヘアピンＲＮＡ（ｓｈＲＮＡ）をコードする核酸、及び１つ以上のゲノム編集タンパク質をコードする核酸のうちの１つ以上を含む、請求項７〜９のいずれか一項に記載の方法。
【請求項１１】
前記ゲノム編集タンパク質は、ＣＲＩＳＰＲ／Ｃａｓ  ＲＮＡガイドタンパク質、転写活性化因子または抑制因子ポリペプチドに融合したＣＲＩＳＰＲ／Ｃａｓ  ＲＮＡガイドタンパク質、Ｃａｓ９タンパク質、転写活性化因子または抑制因子ポリペプチドに融合したＣａｓ９タンパク質、ジンクフィンガーヌクレアーゼ（ＺＦＮ）、ＴＡＬＥＮ、ファージ由来インテグラーゼ、Ｃｒｅタンパク質、Ｆｌｐタンパク質、及びメガヌクレアーゼタンパク質から選択される、請求項１０に記載の方法。
【請求項１２】
前記組織は、脊椎動物組織である、請求項１〜１１のいずれか一項に記載の方法。
【請求項１３】
前記組織は、哺乳類または魚の組織である、請求項１〜１１のいずれか一項に記載の方法。
【請求項１４】
前記組織は、ラット組織、マウス組織、ブタ組織、非ヒト霊長類組織、またはヒト組織である、請求項１〜１１のいずれか一項に記載の方法。
【請求項１５】
前記組織は、生きている動物の一部である、請求項１〜１４のいずれか一項に記載の方法。
【請求項１６】
前記組織は、動物の体外で成長した操作された組織である、請求項１〜１４のいずれか一項に記載の方法。
【請求項１７】
前記組織は、筋肉、肺、気管支、膵臓、乳房、肝臓、胆管、胆嚢、腎臓、脾臓、血液、腸、脳、骨、膀胱、前立腺、卵巣、眼、鼻、舌、口、咽頭、喉頭、甲状腺、脂肪、食道、胃、小腸、結腸、直腸、副腎、軟組織、平滑筋、脈管構造、軟骨、リンパ管、前立腺、心臓、皮膚、網膜、生殖器系、及び性器系から選択される、請求項１〜１６のいずれか一項に記載の方法。
【請求項１８】
前記遺伝的に特徴がある細胞の少なくとも一部が少なくとも１回の分裂を受けるために十分な時間が経過した後、（ｉ）前記遺伝的に特徴がある細胞のバイオマーカーを検出及び／または測定することと、（ｉｉ）前記バイオマーカーの検出及び／または測定の結果に基づいて前記遺伝的に特徴がある細胞を分類することと
をさらに含む、請求項１〜１７のいずれか一項に記載の方法。
【請求項１９】
ステップ（ｉｉ）は、前記バイオマーカーの検出及び／または測定の結果に基づき、細胞増殖状態、細胞型、発達的細胞系譜、細胞死、及び細胞のシグナル伝達状態のうちの１つ以上にしたがって、前記遺伝的に特徴がある細胞を分類することを含む、請求項１８に記載の方法。
【請求項２０】
前記細胞マーカーは、ウイルスベクターを介して前記組織に送達される、請求項１〜１９のいずれか一項に記載の方法。
【請求項２１】
前記複数の細胞マーカーは、新生細胞形成及び／または腫瘍形成を誘導する複数の異なるヌクレオチド配列を含んでいる、請求項１〜２０のいずれか一項に記載の方法。
【請求項２２】
前記複数の細胞マーカーは、腫瘍抑制因子に対して組み換えられたｇＲＮＡまたはｓｈＲＮＡの少なくとも１つを含む、請求項２１に記載の方法。
【請求項２３】
前記複数の細胞マーカーは、少なくとも１つのがん遺伝子を含む、請求項２１に記載の方法。
【請求項２４】
接触させた組織に存在する遺伝的に特徴がある細胞の数が、シーケンシング、ハイスループットシーケンシング、次世代シーケンシング、ＲＮＡシーケンシング、ＤＮＡシーケンシング、全トランスクリプトームシーケンシング、全ゲノムシーケンシング、または標的ＤＮＡシーケンシングにより算出される、請求項１〜２３のいずれか一項に記載の方法。
【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
マイクロＲＮＡ１９ａおよび／またはマイクロＲＮＡ１９ｂの阻害剤を含む、骨量減少または筋機能低下に関連する疾患または病的状態を治療または予防剤、あるいは癌関連の骨破壊を治療または予防剤。
【請求項２】
骨量減少に関連する該疾患が骨粗鬆症または骨形成不全症（ＯＩ）である、請求項１に記載の治療または予防剤。
【請求項３】
前記方法が副甲状腺ホルモンまたはその断片と組み合わせて使用される、請求項１または２に記載の治療または予防剤。
【請求項４】
筋機能低下に関連する前記疾患が、筋ジストロフィー、筋萎縮、サルコペニア、または悪液質である、請求項１に記載の治療または予防剤。
【請求項５】
前記癌関連の骨破壊が骨転移によって引き起こされる、請求項１に記載の治療または予防剤。
【請求項６】
前記阻害剤が、核酸、または核酸アナログである、請求項１〜５のいずれかに記載の治療または予防剤。
【請求項７】
静脈内、皮下、経皮、または経粘膜投与により投与される、請求項１〜６のいずれかに記載の治療または予防剤。
【請求項８】
前記阻害剤が、マイクロＲＮＡ１９ａおよび／またはマイクロＲＮＡ１９ｂに結合する、あるいはマイクロＲＮＡ１９ａおよび／またはマイクロＲＮＡ１９ｂの発現を低減するＤＮＡまたはＲＮＡ配列を含む、請求項１〜７のいずれかに記載の治療または予防剤。
【請求項９】
前記阻害剤が、
（ａ）配列番号１または配列番号２の配列、または
（ｂ）配列番号１または配列番号２の配列の相補鎖、または
（ｃ）それらに対して少なくとも８０％の配列同一性を有し、マイクロＲＮＡ１９ａおよび／またはマイクロＲＮＡ１９ｂにハイブリダイズすることができる、（ａ）または（ｂ）の配列のいずれかの変異体
を含むＤＮＡである、請求項８に記載の治療または予防剤。
【請求項１０】
（ａ）マイクロＲＮＡ１９ａおよび／またはマイクロＲＮＡ１９ｂの阻害剤、および（ｂ）の薬学的に許容される担体を含む、骨量減少に関連する疾患または病的状態、あるいは筋機能低下に関連する疾患または病的状態の治療用医薬組成物。
【請求項１１】
前記阻害剤が核酸または核酸アナログである、請求項１０に記載の医薬組成物。
【請求項１２】
前記阻害剤がＤＮＡまたはＲＮＡである、請求項１０〜１１のいずれかに記載の医薬組成物。
【請求項１３】
注入または注射により投与される、請求項１０〜１２のいずれかに医薬組成物。
【請求項１４】
前記阻害剤が、マイクロＲＮＡ１９ａおよび／またはマイクロＲＮＡ１９ｂに結合する、あるいはマイクロＲＮＡ１９ａおよび／またはマイクロＲＮＡ１９ｂの発現を阻害または低減するＤＮＡまたはＲＮＡ配列を含む、請求項１０〜１３のいずれかに記載の医薬組成物。
【請求項１５】
前記阻害剤が、
（ａ）配列番号１または配列番号２の配列、または
（ｂ）配列番号１または配列番号２の配列の相補鎖、または
（ｃ）それらに対して少なくとも７０％の配列同一性を有し、マイクロＲＮＡ１９ａおよび／またはマイクロＲＮＡ１９ｂにハイブリダイズすることができる、（ａ）または（ｂ）の配列のいずれかの変異体
を含むＤＮＡである、請求項１０〜１４のいずれかに記載の医薬組成物。
【手続補正書】
【提出日】令和3年3月25日(2021.3.25)
【手続補正１】
【補正対象書類名】特許請求の範囲
【補正対象項目名】全文
【補正方法】変更
【補正の内容】
【特許請求の範囲】
【請求項１】
強磁性極間に隙間があって位置する同数のスロットにより互いに離されて円形アレイに配置された３（２ｎ＋１）個の突出した前記強磁性極を含む強磁性コアを含む電機子であって、ｎが１以上の整数である、前記電機子と、
２つ、４つ、又は６つの何れかのみの磁極の円形アレイを含む永久磁石組立体と、
相互に対して相対的な回転のため前記電機子と前記永久磁石組立体とをマウントするための手段と、
前記スロット内において前記電機子にマウントされた三相コイル手段であって、前記三相コイル手段の三相の各々が、複数のコイルを備え、各コイルが、それぞれの強磁性極の周りに巻き付けられており、各極が１つの相のコイルを使用して巻き付けられた、前記三相コイル手段とを備える、三相永久磁石回転電気機械。
【請求項２】
各コイルは、前記強磁性極の各側のすぐ近くに位置する前記スロットのペアを占有する、請求項１に記載の三相永久磁石回転電気機械。
【請求項３】
相内のコイルは、他の相により互いに隙間があって分離される、請求項１に記載の三相永久磁石回転電気機械。
【請求項４】
各相のコイルのすべてが、前記強磁性極の前記円形アレイの所定の区域内に位置し、前記コイル手段の前記各相のコイルは、同じ極性、又は交互になった極性で巻き付けられており、２ｎ＋２個のスロットを占有し、２ｎ＋１個の前記強磁性極を包含する前記強磁性極の前記円形アレイの区域内に位置する、請求項１に記載の三相永久磁石回転電気機械。
【請求項５】
前記永久磁石組立体は、２つの磁極のみを含む、請求項１に記載の三相永久磁石回転電気機械。
【請求項６】
前記永久磁石組立体は、４つの磁極のみを含む、請求項１に記載の三相永久磁石回転電気機械。
【請求項７】
前記永久磁石組立体は、６つの磁極を含む、請求項１に記載の三相永久磁石回転電気機械。
【請求項８】
前記電機子は、前記永久磁石組立体の内部に配置される、請求項１に記載の三相永久磁石回転電気機械。
【請求項９】
前記電機子は、前記永久磁石組立体の外部に配置される、請求項１に記載の三相永久磁石回転電気機械。
【手続補正書】
【提出日】令和3年3月8日(2021.3.8)
【手続補正１】
【補正対象書類名】特許請求の範囲
【補正対象項目名】全文
【補正方法】変更
【補正の内容】
【特許請求の範囲】
【請求項１】
固定子であって、
地鉄と、
複数の支柱と、を備え、
前記地鉄及び複数の支柱が、前記複数の支柱及び前記地鉄の各々を通る連続的な流束経路を画定するモノリシック軟磁性材料から集合的に少なくとも部分的に形成されており、
前記複数の支柱の各々が、前記複数の支柱の各々の磁束経路に平行に延びる前記モノリシック軟磁性材料の１つ以上のチャネルをさらに備え、前記複数の支柱が、前記モノリシック軟磁性材料から形成されている前記複数の支柱の少なくとも一部分よりも大きい前記磁束経路に垂直な平面内の断面輪郭を画定している、固定子。
【請求項２】
前記モノリシック軟磁性の前記複数の支柱から形成されている前記複数の支柱の前記一部分が、波形構造を形成している、請求項１に記載の固定子。
【請求項３】
前記地鉄が、波形である、請求項１又は２に記載の固定子。
【請求項４】
前記地鉄が、１つ以上のチャネルを更に含む、請求項１又は２に記載の固定子。
【請求項５】
前記１つ以上のチャネルが、前記固定子の前記流束経路に沿って延在している、請求項４に記載の固定子。
【請求項６】
前記１つ以上のチャネルが、誘電材料で充填されている、請求項４に記載の固定子。
【請求項７】
前記１つ以上のチャネルが、誘電材料で充填されている、請求項１に記載の固定子。
【請求項８】
前記複数の支柱が、セラミック材料でコーティングされている、請求項１、２、又は７に記載の固定子。
【請求項９】
前記軟磁性材料が、以下の材料：第１鉄、鋼、ニッケル、コバルト、及びアモルファス金属のうちの１つ以上から形成されている、請求項１、２、又は７に記載の固定子。
【請求項１０】
前記軟磁性材料が、シリコン付加剤を更に含む、請求項９に記載の固定子。
【請求項１１】
前記誘電材料が、アルミニウム又はセラミックを含む、請求項６に記載の固定子。
【請求項１２】
前記モノリシック軟磁性材料が、前記複数の支柱と地鉄との間を接続する１つ以上の架橋部材を更に含む、請求項１、２、又は７に記載の固定子。
【請求項１３】
固定子を製造する方法であって、
付加製造を使用して、モノリシック軟磁性材料から地鉄及び複数の支柱を形成することを含み、
前記モノリシック軟磁性材料は前記複数の支柱及び前記地鉄の各々を通る連続的な流束経路を画定し、前記複数の支柱の各々が、前記複数の支柱の各々の磁束経路に平行に延びる前１つ以上のチャネルを備え、前記複数の支柱が、前記モノリシック軟磁性材料から形成されている前記複数の支柱の少なくとも一部分よりも大きい、前記複数の支柱を通る前記磁束経路に垂直な平面内の断面輪郭を画定しており、
前記方法は、
前記モノリシック軟磁性材料を成形型内に配置することと、
前記成形型に充填することによって、前記モノリシック軟磁性材料に誘電材料を付加することと、を含む、方法。
【手続補正書】
【提出日】令和3年4月1日(2021.4.1)
【手続補正１】
【補正対象書類名】特許請求の範囲
【補正対象項目名】全文
【補正方法】変更
【補正の内容】
【特許請求の範囲】
【請求項１】
大腸菌群及び大腸菌（Escherichia coli）微生物のコロニーを別個に計数するためのデバイスであって、前記デバイスが、
水不透過性の第１のシートと、
前記第１のシートに取り付けられた水不透過性の第２のシートと、
前記第１のシートに接着された乾燥した再水和可能な培養培地であって、前記培養培地が、
大腸菌群微生物の増殖を促進する有機窒素系栄養素と、
微生物増殖ゾーン内に配置され、かつＤ−ラクトース、β−ガラクトシダーゼの産生を増強する第１の誘導因子化合物、及びｐＨ指示薬を含む、ラクトース発酵指示薬系と、
前記増殖ゾーン内に配置され、かつ５−ブロモ−４−クロロ−３−インドリル−β−Ｄ−グルクロニド、及び大腸菌中のβ−グルクロニダーゼ酵素活性を増強する複数の化合物を含む、β−Ｄ−グルクロニダーゼ指示薬系と、
レドックス指示薬と、
非大腸菌群微生物の増殖を選択的に阻害する有効量の少なくとも１つの薬剤と、
第１の冷水可溶性ゲル化剤と、を含む培養培地と、
前記第１のシートと前記第２のシートとの間に配置された微生物増殖ゾーンであって、前記第１のシートに接着された前記培養培地の領域が、前記増殖ゾーンを画定する、微生物増殖ゾーンと、
前記第２のシートに接着された第２の冷水可溶性ゲル化剤と、を含み、
前記第１のシートは、前記培養培地が前記第２の冷水可溶性ゲル化剤に面するように、前記第２のシートに取り付けられている、デバイス。
【請求項２】
大腸菌中のβ−グルクロニダーゼ酵素活性を増強する前記複数の化合物のうちの第１の化合物が、メチル−β−Ｄ−グルクロニド及びフェニル−β−Ｄ−グルクロニドから選択される、請求項１に記載のデバイス。
【請求項３】
大腸菌中のβ−グルクロニダーゼ酵素活性を増強する前記複数の化合物のうちの第２の化合物が、Ｄ−グルクロン酸である、請求項１に記載のデバイス。
【請求項４】
前記第１のシート、前記第２のシート、又は前記第１のシートと第２のシートの両方が、ポリエステルフィルムを含む、請求項１〜３のいずれか一項に記載のデバイス。
【請求項５】
前記増殖ゾーンが、前記第１のシートに接着されたスペーサによって画定される、請求項１〜４のいずれか一項に記載のデバイス。
【請求項６】
前記第１のシートに接着された前記培養培地が、約１３０ｍｇ／１００ｃｍ２〜約１９５ｍｇ／１００ｃｍ２のコーティング重量を有する、請求項１〜５のいずれか一項に記載のデバイス。
【請求項７】
ラクトースが、前記第１のシートに接着された前記乾燥培養培地中に配置され、前記ラクトースが、前記乾燥培養培地中に、約８．５ｍｇ／１００ｃｍ２〜約２７ｍｇ／１００ｃｍ２のコーティング重量で存在する、請求項１〜６のいずれか一項に記載のデバイス。
【請求項８】
前記培養培地が、水性液体で再構成されたときに、前記培養培地を約６．５〜約７．５のｐＨに緩衝するための試薬を更に含む、請求項１〜７のいずれか一項に記載のデバイス。
【請求項９】
前記増殖ゾーンが、約１ミリリットル〜約５ミリリットルの所定の体積を有する水性液体を受容するように構成され、前記所定の体積を受容すると、大腸菌群コロニーの増殖を促進し計数を助ける水和培養培地を形成する、請求項１〜８のいずれか一項に記載のデバイス。
【請求項１０】
前記微生物増殖ゾーン内に配置された乾燥乳児用調整粉乳を更に含む、請求項１〜９のいずれか一項に記載のデバイス。
【手続補正書】
【提出日】令和3年3月31日(2021.3.31)
【手続補正１】
【補正対象書類名】特許請求の範囲
【補正対象項目名】全文
【補正方法】変更
【補正の内容】
【特許請求の範囲】
【請求項１】
コンピュータプログラムに基づく放射線治療計画作成のためのシステム（３１）であって、前記システムは、プロセッサ（３３）と、前記コンピュータプログラムを保持するメモリ（３６、３７）を備え、処理を実行すると前記プロセッサが前記コンピュータプログラムに基づき以下のステップを実行する：
ａ．患者に関する治療計画作成に用いられるべき少なくとも１つの提案される線量マップを得るステップ（Ｓ２１）であって、
前記少なくとも１つの線量マップは、患者に関する少なくとも１つの臨床目標を含む臨床目標の組に従う、患者の少なくとも第１の領域に関する少なくとも１つの所望の線量レベルを指定する、ステップ（Ｓ２１）；
ｂ．最適化された線量分布を得るべく、前記線量マップに基づいて治療計画を最適化するステップ（Ｓ２２）；
ｃ．前記治療計画の最適化された線量分布を前記少なくとも１つの臨床目標と比較し、前記最適化された線量分布が前記少なくとも１つの臨床目標を達成しない場合、ステップｄへ続くステップ；
ｄ．前記比較の結果に基づいて、前記最適化された線量分布が前記少なくとも１つの臨床目標を満たさない場合に、少なくとも１つの領域での前記線量マップを調節するステップ（Ｓ２４）；
ｅ．前記調節された線量マップに関して前記ステップｂ〜ｄを繰り返すステップ；および
ｆ．前記ステップｃで前記最適化された線量分布が前記少なくとも１つの臨床目標を達成すると判定されるときに、前記治療計画を受け入れるステップ（Ｓ２５）、
ように構成された、システム。
【請求項２】
前記線量マップが、
ａ．前記臨床目標の線量レベル及び体積レベル、
ｂ．現在の患者又は別の患者に関する以前に作成された手動計画、
ｃ．知識に基づく予測、
の１つ又は複数に基づいて得られる、請求項１に記載のシステム。
【請求項３】
前記少なくとも１つの線量マップの少なくとも１つの調節の方向及び大きさを決定するステップ（Ｓ２３、Ｓ２４）を含み、前記方向及び大きさが、得られる線量分布を前記臨床目標の達成に近づけることにつながるように決定される、請求項１または２に記載のシステム。
【請求項４】
前記少なくとも１つの線量マップの調節が、少なくとも１つのボクセルに関する少なくとも１つの新しい線量値を設定することにより行われる、請求項１〜３のいずれか一項に記載のシステム。
【請求項５】
前記少なくとも１つの線量マップの調節（Ｓ２４）が、少なくとも１つのボクセルに関する少なくとも１つの新しい重要度重みを設定することにより行われる、請求項１〜４のいずれか一項に記載のシステム。
【請求項６】
前記線量マップの調節（Ｓ２４）が、患者内の少なくとも１つの体積に関する標的ＤＶＨ曲線を調節することにより行われる、請求項１〜５のいずれか一項に記載のシステム。
【請求項７】
前記ステップｄ（Ｓ２４）が、前記計算された最適化線量が少なくとも１つのボクセルを少なくとも部分的に含む領域に関する少なくとも１つの臨床目標から逸脱する少なくとも１つのボクセルを判定することと、前記逸脱の方向を判定することと、前記少なくとも１つのボクセルに関する線量を、前記少なくとも１つのボクセルを少なくとも部分的に含む領域に関する少なくとも１つの臨床目標に近づけるべく、前記ボクセルにおける線量マップを調節することを含む、請求項１〜６のいずれか一項に記載のシステム。
【請求項８】
前記臨床目標の組が、患者に関する少なくとも２つの臨床目標を含み、前記臨床目標が、少なくとも２つの優先度レベルへ優先度をつけられ、前記線量マップの調節が、前記臨床目標の優先度レベルに基づいて決定される、請求項１〜７のいずれか一項に記載のシステム。
【請求項９】
前記線量マップの調節が、最高の優先度を有する臨床目標に従って決定される、請求項８に記載のシステム。
【請求項１０】
前記線量マップの調節が、例えば目標の加重平均として、１つよりも多い目標に従って決定される、請求項９に記載のシステム。
【請求項１１】
請求項１〜１０のいずれか一項に記載のコンピュータプログラム。
【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
生物物理シミュレータを含むコンピュータ実行可能命令、及び基準位置が、識別される狭窄の端部から下に特定の距離であることを示す所定の基準位置を備えたコンピュータ可読記憶媒体と、
前記生物物理シミュレータを実行し、心臓画像データを処理して、前記所定の基準位置によって示されるセグメント化された冠状血管に沿った前記基準でFFR値をシミュレートするように構成されるプロセッサと
を有する、計算システム。
【請求項２】
前記生物物理シミュレータは、心臓コンピュータ断層撮影画像データから前記冠状血管をセグメント化し、それに基づいてフローシミュレーションの境界条件を決定し、前記セグメント化された冠状血管に沿ってシミュレートFFR値を生成する前記境界条件で前記フローシミュレーションを実行し、前記冠状血管に沿ったユーザ特定位置に対応する前記シミュレートFFRの選択FFR値を決定し、前記シミュレートFFRから前記基準FFR値を決定する、請求項1に記載の計算システム。
【請求項３】
前記生物物理シミュレータが、前記基準位置及び前記ユーザ特定位置を示すインディシアとともに、前記基準値及び選択FFR値をそれぞれ視覚的に表示する、請求項2に記載の計算システム。
【請求項４】
前記生物物理シミュレータは、前記基準位置及び前記ユーザ特定位置を示す前記インディシア並びに重畳される前記基準ＦＦＲ値及び前記選択シミュレートＦＦＲ値とともに前記セグメント化された冠状血管を視覚的に表示する、請求項３に記載の計算システム。
【請求項５】
前記生物物理シミュレータは、血管造影図から前記冠状血管をセグメント化し、侵襲性ＦＦＲ測定が行われた前記セグメント化された冠状血管上の位置を決定し、前記侵襲性FFR測定及び前記決定された位置に基づいて前記侵襲性FFR測定と同じ前記決定された位置でシミュレートＦＦＲ値を計算する境界条件を決定する、請求項１に記載の計算システム。
【請求項６】
前記生物物理シミュレータは、前記決定された境界条件でシミュレーションを実行して、前記セグメント化された冠状血管に沿ってFFR値をシミュレートし、前記侵襲性FFR測定値を前記基準位置に変換して前記基準FFR値を決定する、請求項5に記載の計算システム。
【請求項７】
前記生物物理シミュレータは、前記基準位置及び前記侵襲性ＦＦＲ測定位置を示すインディシアと共に、前記基準ＦＦＲ値及び前記侵襲性ＦＦＲ測定値を視覚的に表示する、請求項６に記載の計算システム。
【請求項８】
前記生物物理シミュレータは、前記基準位置及び前記侵襲性FFR測定位置を示す前記インディシア並びに重畳される前記基準ＦＦＲ値及び前記侵襲性ＦＦＲ測定値とともに前記セグメント化された冠状血管を視覚的に表示する、請求項７に記載の計算システム。
【請求項９】
前記生物物理シミュレータは、心臓コンピュータ断層撮影画像データから前記冠状血管をセグメント化し、それに基づいてフローシミュレーションのための境界条件を決定し、前記セグメント化された冠状血管に沿ってシミュレートFFR値を生成する前記境界条件で前記フローシミュレーションを実行し、前記セグメント化された冠状血管に沿って、入力された以前のシミュレートＦＦＲ値を前記シミュレートＦＦＲ値の1つとマッチングさせることにより、前記入力された以前のシミュレートＦＦＲ値の位置を識別し、前記シミュレートFFRから前記基準FFR値を決定する、請求項1に記載の計算システム。
【請求項１０】
前記生物物理シミュレータは、前記基準ＦＦＲ値及び前記入力された以前のシミュレートＦＦＲ値を、前記基準位置及び前記入力された以前のシミュレートＦＦＲ値の前記位置を示すインディシアとともにそれぞれ視覚的に表示する、請求項９に記載の計算システム。
【請求項１１】
前記生物物理シミュレータは、前記基準ＦＦＲ値及び前記入力された以前のシミュレートＦＦＲ値の前記位置を示す前記インディシア並びに重畳される前記基準ＦＦＲ値及び前記入力された以前のシミュレートＦＦＲ値とともに前記セグメント化された冠状血管を視覚的に表示する、請求項10に記載の計算システム。
【請求項１２】
前記生物物理シミュレータは、前記セグメント化された冠状血管の狭窄及び前記狭窄の遠位端を識別し、前記基準位置は、前記遠位端からの一定の距離を表す定数値である、請求項1乃至11の何れか一項に記載の計算システム。
【請求項１３】
前記生物物理シミュレータは、前記セグメント化された冠状血管の狭窄及び前記狭窄の遠位端を識別し、前記狭窄に近接した前記セグメント化された冠状血管の直径を測定し、前記基準位置は前記測定された直径の倍数である、請求項１乃至１１の何れか一項に記載の計算システム。
【請求項１４】
前記生物物理シミュレータは、前記冠状血管に沿ったユーザ特定位置でのＦＦＲ値を、前記基準位置によって示される前記位置での前記基準ＦＦＲ値に変換する、請求項１乃至１３の何れか一項に記載の計算システム。
【請求項１５】
計算システムのプロセッサによって実行されるとき、前記プロセッサに、
心臓データを処理して、基準位置が、識別される狭窄の端部から下に特定の距離であることを示す所定の基準位置によって示されるセグメント化された冠状血管に沿った前記基準位置でFFR値をシミュレートさせる
コンピュータ可読命令でエンコードされるコンピュータ可読記憶媒体。
【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
カーペットタイルであって、
（ａ）生機であって、
ｉ）フェース面と裏面を有する一次裏地構成要素と、
ｉｉ）前記一次裏地構成要素に取り付けられ、前記一次裏地構成要素の前記フェース面から延びる複数の繊維と、を含む前記生機、及び
（ｂ）接着剤組成物と、少なくとも部分的に前記接着組成物内に埋め込まれた補強材とを有する接着層であって、前記接着組成物は第１の表面と、反対側の第２の表面とを有し、前記接着組成物の前記第１の表面が、前記一次裏地構成要素の前記裏面に適用される、前記接着層、及び
（ｃ）前記接着組成物の前記第２の表面と接触して前記一次裏地構成要素に結合された二次裏地素材を含み、
前記補強材は、垂直軸に関して間隔を空けて対向する第１の側面及び第２の側面を有し、前記補強材の前記第１の側面は前記一次裏地構成要素に向けられ、前記補強材は、開放構造を有し、前記接着剤組成物が前記補強材の前記第１の側面から前記補強材の前記第２の側面まで前記補強材の前記開放構造を通って延びる、前記カーペットタイル。
【請求項２】
前記生機の前記複数の繊維が糸に存在する、請求項１に記載のカーペットタイル。
【請求項３】
前記複数の繊維の一部は、前記一次裏地構成要素の前記裏面で露出される、請求項１又は２に記載のカーペットタイル。
【請求項４】
前記生機が、前記一次裏地構成要素の前記裏面上に配置されたプレコート層を含み、前記プレコート層は、少なくとも部分的に、前記生機の前記複数の繊維を封入し、前記接着組成物の前記第１の表面が、前記プレコート層に適用される、請求項３に記載のカーペットタイル。
【請求項５】
前記プレコート層がラテックスを含む、請求項４に記載のカーペットタイル。
【請求項６】
前記プレコート層がアクリル材料を含む、請求項４に記載のカーペットタイル。
【請求項７】
前記接着剤組成物が熱可塑性エラストマーを含む、請求項１〜６のいずれか一項に記載のカーペットタイル。
【請求項８】
前記接着剤組成物が前記接着剤組成物の約０重量％〜約８０重量％の範囲の量の充填剤を含む、請求項７に記載のカーペットタイル。
【請求項９】
前記接着層の前記補強材がグラスファイバースクリムを含む、請求項１〜８のいずれか一項に記載のカーペットタイル。
【請求項１０】
前記二次裏地素材が不織布材料を含む、請求項１〜９のいずれか一項に記載のカーペットタイル。
【請求項１１】
前記不織布材料がフリース材料を含む、請求項１０に記載のカーペットタイル。
【請求項１２】
前記二次裏地素材がポリプロピレン、ポリエチレンテレフタレート、ポリエチレン、またはその組み合わせを含む、請求項１〜１１のいずれか一項に記載のカーペットタイル。
【請求項１３】
前記二次裏地素材がスパンボンド材料を含む、請求項１０〜１２のいずれか一項に記載のカーペットタイル。
【請求項１４】
前記二次裏地素材がニードルパンチされている、請求項１０〜１２のいずれか一項に記載のカーペットタイル。
【請求項１５】
前記二次裏地素材がポイントボンド材料を含む、請求項１０〜１２のいずれか一項に記載のカーペットタイル。
【請求項１６】
前記二次裏地素材が織布材料を含む、請求項１〜９のいずれか一項に記載のカーペットタイル。
【請求項１７】
前記二次裏地素材の少なくとも一部は、前記補強材の前記第２の側面と接触する、請求項１〜１６のいずれか一項に記載のカーペットタイル。
【請求項１８】
前記二次裏地素材がＰＥＴまたはポリプロピレンニードルボンドパッドを含む、請求項１２に記載のカーペットタイル。
【請求項１９】
カーペットタイルを製造する方法であって，
（ａ）生機の一次裏地構成要素の裏面に接着剤組成物を押し出すことであって、前記生機がさらに前記一次裏地構成要素に付着された複数の繊維を含み、前記一次裏地構成要素のフェース面から延びる、前記押し出すこと、
（ｂ）補強材と二次裏地素材を前記接着剤組成物に共積層することであって、前記補強材が、開放構造と、垂直軸に関して間隔を空けて対向する第１の側面及び第２の側面とを有し、前記補強材の前記第２の側面の前記接着剤組成物が前記二次裏地素材に接触するように、前記接着剤組成物が前記補強材の前記第１の側面から前記補強材の前記第２の側面に前記補強材を通って流れる、前記共積層すること、及び
（ｃ）前記補強材が前記接着剤組成物内に少なくとも部分的に埋め込まれた接着層を画定するように前記接着剤組成物を冷却することであって、  前記二次裏地素材が前記接着層の前記接着剤組成物との接触によって前記一次裏地構成要素に結合される、前記冷却すること、を含む、前記方法。
【請求項２０】
前記複数の繊維の一部は、前記一次裏地構成要素の前記裏面で露出する、請求項１９に記載の方法。
【請求項２１】
前記一次裏地構成要素に前記接着剤組成物を押し出す前に、少なくとも部分的に前記繊維を封入するために前記一次裏地構成要素の前記裏面にプレコート層を適用することをさらに含み、前記接着剤組成物は前記プレコート層に適用される、請求項１９又は２０に記載の方法。
【請求項２２】
前記プレコート層は、ラテックスを含み、前記ラテックスは、約１０から約２５オンス／平方ヤードの範囲のコーティング重量で設けられる、請求項２１に記載の方法。
【請求項２３】
前記接着剤組成物が熱可塑性エラストマーを含む、請求項１９〜２２のいずれか一項に記載の方法。
【請求項２４】
前記接着剤組成物が約８〜約３０オンス／平方ヤードの範囲のコーティング重量で提供される、請求項２３に記載の方法。
【請求項２５】
前記接着剤組成物の冷却後、前記生機、前記接着層、及び前記二次裏地素材を切断して前記カーペットタイルを形成することをさらに含む、請求項１９〜２４のいずれか一項に記載の方法。
【請求項２６】
前記生機が前記カーペットタイルの幅よりも大きい第１の幅で提供され、前記接着組成物の冷却に続いて、
前記生機、前記接着層、及び前記二次裏地素材を前記第１の幅よりも小さい第２の幅に切断すること、
前記第２の幅を有する材料を受け入れるように構成された切断機内に、前記第２の幅を有する前記生機、前記接着層、及び二次裏地素材の一部を配置することをさらに含むこと、及び
前記切断機を作動させて、前記切断機内の前記生機、前記接着層、及び前記二次裏地素材の一部から前記カーペットタイルを形成すること
をさらに含む、請求項１９〜２５のいずれか一項に記載の方法。
【請求項２７】
前記接着剤組成物は、押し出される前記カーペットタイルの唯一の部分であり、いかなる追加の押し出しステップをも含まない、請求項１９〜２６のいずれか一項に記載の方法。
【請求項２８】
前記二次裏地素材の少なくとも一部は、前記補強材と接触する、請求項１９〜２７のいずれか一項に記載の方法。